(57)【要約】【課題】ユーザが所望のスキャン文書を容易に探し出すことが可能な技術を提供する。【解決手段】画像処理装置は、複数のスキャン文書のそれぞれについて、自動命名文書（その文書名が自動的に付与されたスキャン文書）であるか否かを判定する。また、画像処理装置は、当該複数のスキャン文書の中から、画像処理装置の表示手段での一覧表示対象のスキャン文書（一覧表示対象文書）を検索し、検索された一覧表示対象文書を当該表示手段に一覧表示する。画像処理装置は、当該複数のスキャン文書のうち、自動命名文書であると判定されたスキャン文書を、当該一覧表示対象から除外する。【選択図】図３
2017162181.tif 000002
【特許請求の範囲】
【請求項１】
画像処理装置であって、
複数のスキャン文書のそれぞれについて、その文書名が自動的に付与されたスキャン文書である自動命名文書であるか否かを判定する判定手段と、
前記複数のスキャン文書の中から、前記画像処理装置の表示手段での一覧表示対象のスキャン文書である一覧表示対象文書を検索する検索手段と、
検索された前記一覧表示対象文書を前記表示手段に一覧表示する表示制御手段と、
を備え、
前記検索手段は、前記複数のスキャン文書のうち、前記自動命名文書であると判定されたスキャン文書を、前記一覧表示対象から除外することを特徴とする画像処理装置。
【請求項２】
請求項１に記載の画像処理装置において、
前記判定手段は、前記複数のスキャン文書のうち、予め定められた命名規則にその文書名が従っているスキャン文書を、前記自動命名文書であると判定することを特徴とする画像処理装置。
【請求項３】
請求項２に記載の画像処理装置において、
前記判定手段は、前記複数のスキャン文書のうち、前記画像処理装置に予め組み込まれた命名規則にその文書名が従っているスキャン文書を、前記自動命名文書であると判定することを特徴とする画像処理装置。
【請求項４】
請求項３に記載の画像処理装置において、
前記判定手段は、前記複数のスキャン文書のうち、前記画像処理装置の外部のアプリケーションであって前記画像処理装置と連携してスキャン文書の文書名を付与することが可能なアプリケーションで設定可能な命名規則に、その文書名が従っているスキャン文書をも、前記自動命名文書であると判定することを特徴とする画像処理装置。
【請求項５】
請求項３に記載の画像処理装置において、
前記複数のスキャン文書は、外部サーバに格納され、
前記外部サーバには、前記画像処理装置を含む複数の画像処理装置のそれぞれにおける命名規則を規定した複数の命名規則情報が格納され、
前記判定手段は、前記複数の命名規則情報を前記外部サーバから取得するとともに、前記複数のスキャン文書のうち、前記複数の命名規則情報に規定された複数の命名規則のいずれかにその文書名が従っているスキャン文書を、前記自動命名文書であると判定することを特徴とする画像処理装置。
【請求項６】
請求項３に記載の画像処理装置において、
前記画像処理装置は、複数の画像処理装置で構成される画像処理システムにおける一の装置であり、
前記複数のスキャン文書は、前記画像処理装置に格納されたスキャン文書と、前記複数の画像処理装置のうち前記画像処理装置を除く残余の画像処理装置に格納されたスキャン文書とを含み、
前記判定手段は、前記残余の画像処理装置における命名規則を前記残余の画像処理装置から取得するとともに、前記複数のスキャン文書のうち、前記複数の画像処理装置における複数の命名規則のいずれかにその文書名が従っているスキャン文書を、前記自動命名文書であると判定することを特徴とする画像処理装置。
【請求項７】
請求項１に記載の画像処理装置において、
前記判定手段は、
生成時の時刻を示す属性情報としてスキャン文書に自動的に埋め込まれた生成時刻情報を、前記複数のスキャン文書からそれぞれ取得し、
前記複数のスキャン文書のうち、年月日時分を示す時刻情報がその文書名に含まれるスキャン文書であって、前記生成時刻情報における年月日時分とその文書名に含まれる前記時刻情報における年月日時分とが一致するスキャン文書を、前記自動命名文書であると判定することを特徴とする画像処理装置。
【請求項８】
請求項１から請求項７のいずれかに記載の画像処理装置において、
前記表示制御手段は、前記複数のスキャン文書のうち、前記自動命名文書であると判定されたスキャン文書を除く残余のスキャン文書において、所定文字数以上の同一文字列をその文書名にそれぞれ含むスキャン文書が所定数以上存在する場合、前記残余のスキャン文書のうち前記同一文字列を含む文書名のスキャン文書を前記一覧表示対象からさらに除外すべき旨を指示するための操作部材を、前記表示手段に表示し、
前記検索手段は、前記操作部材がユーザによって操作されると、前記残余のスキャン文書のうち前記同一文字列を含む文書名のスキャン文書を、前記一覧表示対象から除外することを特徴とする画像処理装置。
【請求項９】
請求項１から請求項７のいずれかに記載の画像処理装置において、
前記検索手段は、前記複数のスキャン文書のうち、前記自動命名文書であると判定されたスキャン文書を除く残余のスキャン文書において、所定文字数以上の同一文字列をその文書名にそれぞれ含むスキャン文書が所定数以上存在する場合、前記残余のスキャン文書のうち前記同一文字列を含む文書名のスキャン文書を、前記一覧表示対象からさらに除外することを特徴とする画像処理装置。
【請求項１０】
請求項１から請求項７のいずれかに記載の画像処理装置において、
前記表示制御手段は、前記自動命名文書であると判定されたスキャン文書を除く残余のスキャン文書の中から、ユーザによって指定された指定期間内に格納されたスキャン文書をさらに検索するための期間指定欄を前記表示手段に表示するとともに、前記残余のスキャン文書が格納された格納日のうち、最先の格納日から最後の格納日までの期間を、前記期間指定欄における初期指定期間として表示することを特徴とする画像処理装置。
【請求項１１】
請求項１０に記載の画像処理装置において、
前記表示制御手段は、前記期間指定欄において前記初期指定期間外の期間が前記指定期間としてユーザによって指定された場合、前記期間指定欄において、指定された前記指定期間を前記初期指定期間に自動的に修正することを特徴とする画像処理装置。
【請求項１２】
請求項１から請求項７のいずれかに記載の画像処理装置において、
前記表示制御手段は、前記自動命名文書であると判定されたスキャン文書を除く残余のスキャン文書を生成したスキャンジョブにそれぞれ割り当てられたジョブ番号を取得し、前記残余のスキャン文書の中から、ユーザによって指定された指定範囲内のジョブ番号を有するスキャン文書をさらに検索するための範囲指定欄を前記表示手段に表示するとともに、前記残余のスキャン文書のジョブ番号のうち、最小ジョブ番号から最大ジョブ番号までの範囲を、前記範囲指定欄における初期指定範囲として表示することを特徴とする画像処理装置。
【請求項１３】
請求項１２に記載の画像処理装置において、
前記表示制御手段は、前記範囲指定欄において前記初期指定範囲外の範囲が前記指定範囲としてユーザによって指定された場合、前記範囲指定欄において、指定された前記指定範囲を前記初期指定範囲に自動的に修正することを特徴とする画像処理装置。
【請求項１４】
請求項１から請求項１３のいずれかに記載の画像処理装置において、
前記検索手段は、前回の検索時において前記自動命名文書を前記一覧表示対象から除外すべき旨の検索条件が指定されていた場合、前回の検索時における前記検索条件を保持して、前記自動命名文書を前記一覧表示対象から自動的に除外することを特徴とする画像処理装置。
【請求項１５】
請求項２から請求項６のいずれかに記載の画像処理装置において、
前記判定手段は、命名規則が変更された場合、前記複数のスキャン文書のうち、変更前の命名規則にその文書名が従っているスキャン文書と、変更後の命名規則にその文書名が従っているスキャン文書との双方を、前記自動命名文書であると判定することを特徴とする画像処理装置。
【請求項１６】
画像処理装置に内蔵されたコンピュータに、
ａ）複数のスキャン文書のそれぞれについて、その文書名が自動的に付与されたスキャン文書である自動命名文書であるか否かを判定するステップと、
ｂ）前記複数のスキャン文書の中から、前記画像処理装置の表示手段での一覧表示対象のスキャン文書である一覧表示対象文書を検索するステップと、
ｃ）検索された前記一覧表示対象文書を前記表示手段に一覧表示するステップと、
を実行させるためのプログラムであって、
前記ステップｂ）においては、前記複数のスキャン文書のうち、前記自動命名文書であると判定されたスキャン文書が、前記一覧表示対象から除外されることを特徴とするプログラム。
【発明の詳細な説明】
【技術分野】
【０００１】
本発明は、ＭＦＰ（マルチ・ファンクション・ペリフェラル（Multi-Functional Peripheral））などの画像処理装置、およびそれに関連する技術に関する。
【背景技術】
【０００２】
スキャン文書の生成に際して、文書名を自動的に付与する技術が存在する。
【０００３】
たとえば、特許文献１においては、複合機のスキャナによって読み取られた原稿の画像データに対してユーザがファイル名（文書名）を設定しなかった場合は、当該画像データに対して、自動生成されたファイル名が設定されることが示されている。
【０００４】
また、特許文献１には、原稿の画像データの生成に際して、ファイル名をユーザが設定できることも示されている。
【先行技術文献】
【特許文献】
【０００５】
【特許文献１】特開２００５−２７５８４９号公報
【発明の概要】
【発明が解決しようとする課題】
【０００６】
ここにおいて、文書名の入力が煩わしいとユーザが感じることもあり、ユーザは、後で利用したいスキャン文書に対して、他のスキャン文書と区別すべく、所望の文書名を入力して付与するものの、その他のスキャン文書については、文書名が自動的に付与される機能を利用することが多い。
【０００７】
すなわち、生成されるスキャン文書の多くは、その文書名が自動的に付与されたスキャン文書（「自動命名文書」とも称する）である。
【０００８】
ところで、ユーザが、所望のスキャン文書（たとえば後で利用するために所望の文書名を入力したスキャン文書）を探し出したい場合がある。
【０００９】
この場合、たとえば全てのスキャン文書の一覧（文書名リスト）が画像処理装置の表示部に表示され、当該文書名リストの中から所望のスキャン文書をユーザが探し出すことが考えられる。
【００１０】
しかしながら、ユーザが、全てのスキャン文書の文書名リストの中から所望のスキャン文書を探し出そうとしても、スキャン文書の多くが自動命名文書であることに起因して当該所望のスキャン文書は多数の自動命名文書の中に埋もれてしまい、ユーザは、当該所望のスキャン文書を容易に探し出すことができない。
【００１１】
そこで、本願発明は、ユーザが所望のスキャン文書を容易に探し出すことが可能な技術を提供することを課題とする。
【課題を解決するための手段】
【００１２】
上記課題を解決すべく、請求項１の発明は、画像処理装置であって、複数のスキャン文書のそれぞれについて、その文書名が自動的に付与されたスキャン文書である自動命名文書であるか否かを判定する判定手段と、前記複数のスキャン文書の中から、前記画像処理装置の表示手段での一覧表示対象のスキャン文書である一覧表示対象文書を検索する検索手段と、検索された前記一覧表示対象文書を前記表示手段に一覧表示する表示制御手段と、を備え、前記検索手段は、前記複数のスキャン文書のうち、前記自動命名文書であると判定されたスキャン文書を、前記一覧表示対象から除外することを特徴とする。
【００１３】
請求項２の発明は、請求項１の発明に係る画像処理装置において、前記判定手段は、前記複数のスキャン文書のうち、予め定められた命名規則にその文書名が従っているスキャン文書を、前記自動命名文書であると判定することを特徴とする。
【００１４】
請求項３の発明は、請求項２の発明に係る画像処理装置において、前記判定手段は、前記複数のスキャン文書のうち、前記画像処理装置に予め組み込まれた命名規則にその文書名が従っているスキャン文書を、前記自動命名文書であると判定することを特徴とする。
【００１５】
請求項４の発明は、請求項３の発明に係る画像処理装置において、前記判定手段は、前記複数のスキャン文書のうち、前記画像処理装置の外部のアプリケーションであって前記画像処理装置と連携してスキャン文書の文書名を付与することが可能なアプリケーションで設定可能な命名規則に、その文書名が従っているスキャン文書をも、前記自動命名文書であると判定することを特徴とする。
【００１６】
請求項５の発明は、請求項３の発明に係る画像処理装置において、前記複数のスキャン文書は、外部サーバに格納され、前記外部サーバには、前記画像処理装置を含む複数の画像処理装置のそれぞれにおける命名規則を規定した複数の命名規則情報が格納され、前記判定手段は、前記複数の命名規則情報を前記外部サーバから取得するとともに、前記複数のスキャン文書のうち、前記複数の命名規則情報に規定された複数の命名規則のいずれかにその文書名が従っているスキャン文書を、前記自動命名文書であると判定することを特徴とする。
【００１７】
請求項６の発明は、請求項３の発明に係る画像処理装置において、前記画像処理装置は、複数の画像処理装置で構成される画像処理システムにおける一の装置であり、前記複数のスキャン文書は、前記画像処理装置に格納されたスキャン文書と、前記複数の画像処理装置のうち前記画像処理装置を除く残余の画像処理装置に格納されたスキャン文書とを含み、前記判定手段は、前記残余の画像処理装置における命名規則を前記残余の画像処理装置から取得するとともに、前記複数のスキャン文書のうち、前記複数の画像処理装置における複数の命名規則のいずれかにその文書名が従っているスキャン文書を、前記自動命名文書であると判定することを特徴とする。
【００１８】
請求項７の発明は、請求項１の発明に係る画像処理装置において、前記判定手段は、生成時の時刻を示す属性情報としてスキャン文書に自動的に埋め込まれた生成時刻情報を、前記複数のスキャン文書からそれぞれ取得し、前記複数のスキャン文書のうち、年月日時分を示す時刻情報がその文書名に含まれるスキャン文書であって、前記生成時刻情報における年月日時分とその文書名に含まれる前記時刻情報における年月日時分とが一致するスキャン文書を、前記自動命名文書であると判定することを特徴とする。
【００１９】
請求項８の発明は、請求項１から請求項７のいずれかの発明に係る画像処理装置において、前記表示制御手段は、前記複数のスキャン文書のうち、前記自動命名文書であると判定されたスキャン文書を除く残余のスキャン文書において、所定文字数以上の同一文字列をその文書名にそれぞれ含むスキャン文書が所定数以上存在する場合、前記残余のスキャン文書のうち前記同一文字列を含む文書名のスキャン文書を前記一覧表示対象からさらに除外すべき旨を指示するための操作部材を、前記表示手段に表示し、前記検索手段は、前記操作部材がユーザによって操作されると、前記残余のスキャン文書のうち前記同一文字列を含む文書名のスキャン文書を、前記一覧表示対象から除外することを特徴とする。
【００２０】
請求項９の発明は、請求項１から請求項７のいずれかの発明に係る画像処理装置において、前記検索手段は、前記複数のスキャン文書のうち、前記自動命名文書であると判定されたスキャン文書を除く残余のスキャン文書において、所定文字数以上の同一文字列をその文書名にそれぞれ含むスキャン文書が所定数以上存在する場合、前記残余のスキャン文書のうち前記同一文字列を含む文書名のスキャン文書を、前記一覧表示対象からさらに除外することを特徴とする。
【００２１】
請求項１０の発明は、請求項１から請求項７のいずれかの発明に係る画像処理装置において、前記表示制御手段は、前記自動命名文書であると判定されたスキャン文書を除く残余のスキャン文書の中から、ユーザによって指定された指定期間内に格納されたスキャン文書をさらに検索するための期間指定欄を前記表示手段に表示するとともに、前記残余のスキャン文書が格納された格納日のうち、最先の格納日から最後の格納日までの期間を、前記期間指定欄における初期指定期間として表示することを特徴とする。
【００２２】
請求項１１の発明は、請求項１０の発明に係る画像処理装置において、前記表示制御手段は、前記期間指定欄において前記初期指定期間外の期間が前記指定期間としてユーザによって指定された場合、前記期間指定欄において、指定された前記指定期間を前記初期指定期間に自動的に修正することを特徴とする。
【００２３】
請求項１２の発明は、請求項１から請求項７のいずれかの発明に係る画像処理装置において、前記表示制御手段は、前記自動命名文書であると判定されたスキャン文書を除く残余のスキャン文書を生成したスキャンジョブにそれぞれ割り当てられたジョブ番号を取得し、前記残余のスキャン文書の中から、ユーザによって指定された指定範囲内のジョブ番号を有するスキャン文書をさらに検索するための範囲指定欄を前記表示手段に表示するとともに、前記残余のスキャン文書のジョブ番号のうち、最小ジョブ番号から最大ジョブ番号までの範囲を、前記範囲指定欄における初期指定範囲として表示することを特徴とする。
【００２４】
請求項１３の発明は、請求項１２の発明に係る画像処理装置において、前記表示制御手段は、前記範囲指定欄において前記初期指定範囲外の範囲が前記指定範囲としてユーザによって指定された場合、前記範囲指定欄において、指定された前記指定範囲を前記初期指定範囲に自動的に修正することを特徴とする。
【００２５】
請求項１４の発明は、請求項１から請求項１３のいずれかの発明に係る画像処理装置において、前記検索手段は、前回の検索時において前記自動命名文書を前記一覧表示対象から除外すべき旨の検索条件が指定されていた場合、前回の検索時における前記検索条件を保持して、前記自動命名文書を前記一覧表示対象から自動的に除外することを特徴とする。
【００２６】
請求項１５の発明は、請求項２から請求項６のいずれかの発明に係る画像処理装置において、前記判定手段は、命名規則が変更された場合、前記複数のスキャン文書のうち、変更前の命名規則にその文書名が従っているスキャン文書と、変更後の命名規則にその文書名が従っているスキャン文書との双方を、前記自動命名文書であると判定することを特徴とする。
【００２７】
請求項１６の発明は、画像処理装置に内蔵されたコンピュータに、ａ）複数のスキャン文書のそれぞれについて、その文書名が自動的に付与されたスキャン文書である自動命名文書であるか否かを判定するステップと、ｂ）前記複数のスキャン文書の中から、前記画像処理装置の表示手段での一覧表示対象のスキャン文書である一覧表示対象文書を検索するステップと、ｃ）検索された前記一覧表示対象文書を前記表示手段に一覧表示するステップと、を実行させるためのプログラムであって、前記ステップｂ）においては、前記複数のスキャン文書のうち、前記自動命名文書であると判定されたスキャン文書が、前記一覧表示対象から除外されることを特徴とする。
【発明の効果】
【００２８】
請求項１から請求項１６に記載の発明によれば、複数のスキャン文書のうち、自動命名文書であると判定されたスキャン文書が、画像処理装置の表示手段での一覧表示対象から除外される。したがって、ユーザは所望のスキャン文書を容易に探し出すことが可能である。
【図面の簡単な説明】
【００２９】
【図１】画像形成装置（ＭＦＰ）の外観を示す図である。
【図２】ＭＦＰの機能ブロックを示す図である。
【図３】一覧表示対象文書の検索処理を説明する概念図である。
【図４】スキャン文書の絞込検索処理に係るＭＦＰの動作を示すフローチャートである。
【図５】絞込検索画面を示す図である。
【図６】絞込検索画面を示す図である。
【図７】絞込検索画面を示す図である。
【図８】絞込検索画面を示す図である。
【図９】第２実施形態に係る一覧表示対象文書の検索処理を説明する概念図である。
【図１０】第３実施形態に係る画像処理システムを示す図である。
【図１１】第３実施形態に係る一覧表示対象文書の検索処理を説明する概念図である。
【図１２】第４実施形態に係る画像処理システムを示す図である。
【図１３】第５実施形態に係る絞込検索画面を示す図である。
【図１４】第５実施形態に係る絞込検索画面を示す図である。
【図１５】第５実施形態に係る絞込検索画面を示す図である。
【図１６】第５実施形態の変形例に係る絞込検索画面を示す図である。
【図１７】第５実施形態の変形例に係る絞込検索画面を示す図である。
【図１８】第５実施形態の変形例に係る絞込検索画面を示す図である。
【図１９】変形例に係る一覧表示対象文書の検索処理を説明する概念図である。
【図２０】変形例に係る絞込検索画面を示す図である。
【発明を実施するための形態】
【００３０】
以下、本発明の実施形態を図面に基づいて説明する。
【００３１】
＜１．第１実施形態＞
＜１−１．構成概要＞
図１は、画像処理装置（画像形成装置とも称される）１０の外観を示す図であり、図２は、画像処理装置１０の機能ブロックを示す図である。ここでは、画像処理装置１０として、ＭＦＰ（マルチ・ファンクション・ペリフェラル（Multi-Functional Peripheral））を例示する。
【００３２】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００３３】
画像読取部（スキャン部とも称される）２は、ＭＦＰ１０の所定の位置に載置された原稿を光学的に読み取って（すなわちスキャンして）、当該原稿のスキャン文書（原稿画像データあるいはスキャン画像データとも称する）を生成する処理部である。スキャン処理（読取処理）によって生成されたスキャン文書は、ＭＦＰ１０の格納部５へと格納される。
【００３４】
印刷出力部３は、印刷対象に関するデータに基づいて紙などの各種の媒体に画像（画像データ）を印刷出力する出力部である。この印刷出力部３は、印刷対象の画像データを印刷出力するジョブにおける出力手段として動作する。
【００３５】
通信部４は、各種通信を行うことが可能な処理部である。たとえば、通信部４は、公衆回線等を介したファクシミリ通信を行うことが可能である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。通信部４は、各種データを送信する送信部４ａと各種データを受信する受信部４ｂとを有する。
【００３６】
格納部５は、ハードディスクドライブ（ＨＤＤ）等の格納装置で構成される。この格納部５には、画像読取部２等で生成されたスキャン文書（スキャン画像データ）が格納される。
【００３７】
操作部６は、ＭＦＰ１０に対する操作入力を受け付ける操作入力部６ａと、各種情報の表示出力を行う表示部６ｂとを備えている。
【００３８】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに圧電センサ等が埋め込まれて構成され、各種情報を表示するとともに操作者（ユーザ）による操作入力（文字入力等）を受け付けることが可能である。
【００３９】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体を介してＭＦＰ１０にインストールされてもよい。あるいは、当該プログラムは、無線ＬＡＮ等を経由してダウンロードされてＭＦＰ１０にインストールされるようにしてもよい。
【００４０】
具体的には、図２に示すように、コントローラ９は、当該プログラムの実行により、通信制御部１１と入力制御部１２と表示制御部１３と文書名付与部１４と判定部１５と検索部１６とスキャン文書生成部１７とを含む各種の処理部を実現する。
【００４１】
通信制御部１１は、通信部４と協働して通信動作を制御する。
【００４２】
入力制御部１２は、操作入力部６ａ（タッチパネル２５等）に対する操作入力動作を制御する制御部である。たとえば、入力制御部１２は、タッチパネル２５に表示された操作画面に対する操作入力（文字入力等）を受け付ける動作を制御する。
【００４３】
表示制御部１３は、表示部６ｂ（タッチパネル２５等）における表示動作を制御する処理部である。たとえば、表示制御部１３は、絞込検索結果の一覧を絞込検索画面２００（図６等参照）に表示する。
【００４４】
文書名付与部１４は、原稿のスキャン文書（スキャンファイル）に対して文書名（ファイル名）を付与（付加）する処理部である。たとえば、スキャンジョブにおける設定画面において、スキャン文書の文書名の入力がユーザによって行われた場合、文書名付与部１４は、ユーザによって入力された文書名をスキャン文書に対して付与する。また、ユーザによる文書名の入力が行われずにスキャンジョブが実行された場合、文書名付与部１４は、予め定められた命名規則に従った文書名をスキャン文書に対して自動的に付与する。ここでは、所定の文字列（たとえばＭＦＰ１０の装置番号「ＡＢＣ」）とスキャン文書の生成時の時刻を示す時刻情報とで構成される文書名をスキャン文書に付与する命名規則が、ＭＦＰ１０に予め組み込まれている。詳細には、所定の文字列（装置番号「ＡＢＣ」）の直後にスキャン文書の生成時刻の年月日時分を示す時刻情報を割り当てる命名規則がＭＦＰ１０に予め組み込まれている。ただし、これに限定されず、逆に、当該時刻情報の直後に所定の文字列（装置番号「ＡＢＣ」）を割り当てる命名規則がＭＦＰ１０に予め組み込まれていてもよい。あるいは、所定の文字列（たとえば装置番号「ＡＢＣ」）の直後に当該時刻情報を割り当て、さらにその直後に別の文字列（たとえばＭＦＰ１０に割り当てられた識別番号「０００１」）を割り当てる命名規則が、ＭＦＰ１０に予め組み込まれていてもよい。
【００４５】
判定部１５は、各種の判定処理を実行する処理部である。たとえば、判定部１５は、複数のスキャン文書のそれぞれに対して、文書名が命名規則に従っているか否かを判定する。
【００４６】
検索部１６は、ユーザによって指定された検索条件（スキャン文書の文書名の付与方法に関する検索条件）に基づいて、複数のスキャン文書の中から一覧表示対象文書（ＭＦＰ１０のタッチパネル２５での一覧表示対象のスキャン文書）を検索する処理部である。たとえば、その文書名が自動的に付与されたスキャン文書（「自動命名文書」とも称する）を一覧表示対象文書として検索すべき旨の検索条件がユーザによって指定された場合、検索部１６は、複数のスキャン文書の中から、当該自動命名文書を一覧表示対象文書として検索する。また、ユーザによって入力された文書名が付与されたスキャン文書（「手動命名文書」とも称する）を一覧表示対象文書として検索すべき旨の検索条件がユーザによって指定された場合、検索部１６は、複数のスキャン文書の中から、当該手動命名文書を一覧表示対象文書として検索する。
【００４７】
スキャン文書生成部１７は、画像読取部２と協働して、原稿のスキャン文書を生成する動作等を制御する処理部である。画像読取部２によって原稿が読み取られると、スキャン文書生成部１７は、画像読取部２と協働して、当該原稿のスキャン文書を生成し、生成されたスキャン文書を格納部５に格納する。
【００４８】
＜１−２．動作＞
図３は、一覧表示対象文書（詳細には手動命名文書）の検索処理を説明する概念図である。この実施形態では、複数のスキャン文書のそれぞれについて、自動命名文書（その文書名が自動的に付与されたスキャン文書）であるか否かが判定される。そして、複数のスキャン文書のうち、自動命名文書であると判定されたスキャン文書が、ＭＦＰ１０のタッチパネル２５での一覧表示対象から除外され、残余のスキャン文書が、一覧表示対象文書として抽出されてタッチパネル２５に一覧表示される。
【００４９】
＜スキャン文書の生成処理および格納処理＞
まず、スキャン文書の絞込検索処理に関する説明の前に、スキャン文書の生成処理および格納処理について説明する。
【００５０】
ユーザは、ＭＦＰ１０にログインし、原稿をＭＦＰ１０の所定の位置に載置するとともに、メニュー画面等に対する操作を経て、スキャンジョブの各種設定（解像度の設定等）を行う。
【００５１】
スキャンジョブの各種設定において、ユーザは、当該スキャンジョブにて生成されるスキャン文書の文書名を設定変更（入力）することができる。たとえば、ユーザ（たとえばユーザＵ１）は、生成されるスキャン文書を後で利用したい場合、文書名入力欄等（不図示）において、所望の文字列（たとえば「ユーザＵ１作成書類」）を、スキャン文書の文書名として入力する。
【００５２】
その後、スキャンジョブの各種設定が完了し、スキャンジョブの開始指示がユーザによって付与される（たとえば「スタート」ボタンが押下される）と、画像読取部２によって原稿が読み取られる（スキャンされる）。そして、ユーザ設定に応じたスキャン文書が生成され、生成されたスキャン文書がＭＦＰ１０の格納部５に格納される。
【００５３】
たとえば、スキャンジョブの設定においてユーザによってスキャン文書の文書名が入力された場合、ユーザによって入力された文字列（たとえば「ユーザＵ１作成書類」）が文書名として付与されたスキャン文書が生成される。そして、生成されたスキャン文書がＭＦＰ１０の格納部５に格納される。
【００５４】
一方、スキャンジョブの設定においてユーザによってスキャン文書の文書名が入力されなかった場合、ＭＦＰ１０に予め組み込まれた命名規則（たとえば装置番号「ＡＢＣ」とスキャン文書の生成時刻を示す時刻情報とで構成される文書名をスキャン文書に付与する命名規則）に従った文書名が自動的に付与されたスキャン文書が生成される。具体的には、ＭＦＰ１０（文書名付与部１４）は、命名規則に従って、ＭＦＰ１０の装置番号「ＡＢＣ」とスキャン文書の生成時刻の年月日時分（たとえば２０１５年１月７日１０時９分）を示す時刻情報とで構成される文書名「ABC_201501071009」をスキャン文書に対して自動的に付与する。そして、ＭＦＰ１０における命名規則に従った文書名が自動的に付与されたスキャン文書が生成されて、生成されたスキャン文書がＭＦＰ１０の格納部５に格納される。
【００５５】
このように、原稿のスキャンジョブが実行されると、２種類の付与方法のいずれかによってその文書名が付与されたスキャン文書が生成される。具体的には、スキャンジョブの設定に際してユーザによって文書名が入力された場合は、ユーザによって入力された文書名が付与されたスキャン文書が生成され、文書名がユーザによって入力されなかった場合は、ＭＦＰ１０における命名規則に従った文書名が自動的に付与されたスキャン文書が生成される。そして、生成されたスキャン文書がＭＦＰ１０の格納部５に格納される。
【００５６】
＜スキャン文書の絞込検索処理＞
つぎに、スキャン文書の絞込検索処理について説明する。図４は、スキャン文書の絞込検索処理に関するＭＦＰ１０の動作を示すフローチャートである。
【００５７】
ユーザは、ＭＦＰ１０にログインし、種々の操作を経て、スキャン文書の絞込検索画面２００（図５参照）をＭＦＰ１０のタッチパネル２５に表示させる。後述するように、当該絞込検索画面２００においては、検索結果が一覧表示される（図６〜図８参照）。
【００５８】
この絞込検索画面２００において、ユーザは、スキャン文書の文書名の付与方法に関する検索条件を指定するための指定ボタン３００（３０１〜３０３）が表示されている（図５参照）。指定ボタン３０１は、ＭＦＰ１０に格納されている全てのスキャン文書を絞込検索画面２００での一覧表示対象のスキャン文書（一覧表示対象文書）として検索すべき旨の検索条件を指定するためのボタンである。また、指定ボタン３０２は、複数のスキャン文書の中から自動命名文書を一覧表示対象文書として検索すべき旨の検索条件を指定するためのボタンである。さらに、指定ボタン３０３は、複数のスキャン文書の中から手動命名文書を一覧表示対象文書として検索すべき旨の検索条件を指定するためのボタンである。
【００５９】
ユーザは、当該絞込検索画面２００において、所望の一覧表示対象文書に対応する指定ボタン３００を押下して、一覧表示対象文書（絞込検索の対象文書）を指定する。
【００６０】
図４のステップＳ１１においては、いずれの検索条件がユーザによって指定されたか否か、が判定される。そして、ユーザによって押下された指定ボタン３００に対応する検索条件に基づき、一覧表示対象文書が複数のスキャン文書の中から検索され（ステップＳ１２〜Ｓ１４）、検索された一覧表示対象文書が絞込検索画面２００に一覧表示される（ステップＳ１５）（図６〜図８参照）。
【００６１】
たとえば、指定ボタン３０１（図５参照）が押下された場合は、全てのスキャン文書を一覧表示対象文書として検索すべき旨の検索条件がユーザによって指定された旨がステップＳ１１にて判定され、処理はステップＳ１２へと進む。
【００６２】
ステップＳ１２においては、ＭＦＰ１０（検索部１６）は、ユーザによって指定された検索条件に基づき、ＭＦＰ１０に格納された全てのスキャン文書を一覧表示対象文書として検索（抽出）する。そして、ＭＦＰ１０（表示制御部１３）は、検索（抽出）された全スキャン文書を絞込検索画面２００に一覧表示する（ステップＳ１５）（図６参照）。
【００６３】
また、指定ボタン３０２（図５参照）が押下された場合は、自動命名文書を一覧表示対象文書として検索すべき旨の検索条件がユーザによって指定された旨がステップＳ１１にて判定され、処理はステップＳ１３へと進む。
【００６４】
ステップＳ１３においては、ＭＦＰ１０（検索部１６）は、ユーザによって指定された検索条件に基づき、当該複数のスキャン文書の中から自動命名文書を一覧表示対象文書として検索する。
【００６５】
具体的には、ＭＦＰ１０（判定部１５）は、複数のスキャン文書のそれぞれについて、自動命名文書（その文書名が自動的に付与されたスキャン文書）であるか否か、を判定する。
【００６６】
詳細には、ＭＦＰ１０（判定部１５）は、複数のスキャン文書のそれぞれについて、予め定められた命名規則にその文書名が従っているか否かを判定し、当該複数のスキャン文書のうち、当該命名規則にその文書名が従っているスキャン文書を、自動命名文書であると判定する。
【００６７】
より具体的には、複数のスキャン文書のうち、ＭＦＰ１０に予め組み込まれた命名規則（たとえば装置番号「ＡＢＣ」とスキャン文書の生成時刻を示す時刻情報とで構成される文書名を付与する命名規則）にその文書名が従っているスキャン文書が、自動命名文書であると判定される。ここでは、装置番号「ＡＢＣ」とスキャン文書の生成時刻の年月日時分を示す時刻情報とで構成される文書名を有するスキャン文書が、自動命名文書であると判定される。
【００６８】
そして、ＭＦＰ１０（検索部１６）は、複数のスキャン文書のうち、自動命名文書であると判定されたスキャン文書を、一覧表示対象文書として抽出する。
【００６９】
自動命名文書が一覧表示対象文書として検索（抽出）されると、処理はステップＳ１５へと進み、検索された一覧表示対象文書が絞込検索画面２００に一覧表示される（図７参照）。具体的には、装置番号「ＡＢＣ」とスキャン文書の生成時刻の時刻情報とで構成される文書名を有するスキャン文書（自動命名文書）が、絞込検索画面２００に一覧表示される。
【００７０】
あるいは、指定ボタン３０３（図５参照）が押下された場合は、手動命名文書を一覧表示対象文書として検索すべき旨の検索条件がユーザによって指定された旨がステップＳ１１にて判定され、処理はステップＳ１４へと進む。
【００７１】
ステップＳ１４においては、ＭＦＰ１０（検索部１６）は、ユーザによって指定された検索条件に基づき、複数のスキャン文書の中から、手動命名文書を一覧表示対象文書として検索する。
【００７２】
具体的には、まず、上述の自動命名文書の判定処理と同様にして、ＭＦＰ１０（判定部１５）は、複数のスキャン文書のそれぞれについて、自動命名文書であるか否かを判定する。そして、ＭＦＰ１０（検索部１６）は、複数のスキャン文書のうち、自動命名文書であると判定されたスキャン文書を、タッチパネル２５（詳細には絞込検索画面２００）での一覧表示対象から除外して、残余のスキャン文書を、一覧表示対象文書として抽出する。換言すれば、ＭＦＰ１０は、複数のスキャン文書のうち、その文書名が命名規則に従っていないと判定されたスキャン文書（すなわち自動命名文書ではないと判定されたスキャン文書）を、手動命名文書（非自動命名文書）であると判定して、手動命名文書であると判定されたスキャン文書を、一覧表示対象文書として抽出する。ここでは、複数のスキャン文書のうち、装置番号「ＡＢＣ」とスキャン文書の生成時刻の時刻情報とで構成される文書名を有するスキャン文書（自動命名文書）が、絞込検索画面２００での一覧表示対象から除外されて、残余のスキャン文書が一覧表示対象文書として抽出される。
【００７３】
そして、処理はステップＳ１５へと進み、検索（抽出）された一覧表示対象文書が絞込検索画面２００に一覧表示される（図８参照）。具体的には、ＭＦＰ１０に格納された複数のスキャン文書のうち、装置番号「ＡＢＣ」と生成時刻の時刻情報とで構成される文書名を有するスキャン文書（自動命名文書）を除外した残余のスキャン文書が、絞込検索画面２００に一覧表示される。
【００７４】
その後、ユーザは、検索結果として一覧表示された一覧表示対象文書の中から所望のスキャン文書を選択し、各種の処理を行う。たとえば、ユーザＵ１は、抽出された手動命名文書の中から文書名「ユーザＵ１作成書類」のスキャン文書を選択し、当該スキャン文書に対する印刷出力設定を行う。
【００７５】
以上のように、上記第１実施形態に係る動作においては、複数のスキャン文書のうち、自動命名文書であると判定されたスキャン文書が、ＭＦＰ１０のタッチパネル２５（ここでは絞込検索画面２００）での一覧表示対象から除外される。そのため、多数存在する自動命名文書は、絞込検索画面２００に表示されず、残余のスキャン文書（すなわち手動命名文書）のみが、絞込検索画面２００に表示される。したがって、ユーザは所望のスキャン文書を容易に探し出すことが可能である。
【００７６】
ここにおいて、スキャン文書が自動命名文書であるか手動命名文書であるかを判定するために、スキャン文書が自動命名文書であるか手動命名文書であるかを示すフラグを当該スキャン文書に埋め込むことも考えられる。ただし、このようなフラグを用いて、スキャン文書が自動命名文書であるか手動命名文書であるかを判定する場合、フラグの付加処理とフラグの判定処理との双方をＭＦＰ１０に組み込むことを要する。
【００７７】
これに対して、上記第１実施形態においては、スキャン文書の文書名が命名規則に従っているか否かの判定結果に基づいて、スキャン文書が自動命名文書であるか手動命名文書であるかが判定される。したがって、上記フラグを用いることなく（フラグの付加処理等をＭＦＰ１０に組み込むことを要さずに）、複数のスキャン文書の中から、手動命名文書を抽出することが可能である。
【００７８】
＜２．第２実施形態＞
第２実施形態は、第１実施形態の変形例である。以下では、第１実施形態との相違点を中心に説明する。
【００７９】
上記第１実施形態では、スキャン文書が自動命名文書であるか否かの判定処理において、ＭＦＰ１０に予め組み込まれた命名規則を考慮する態様を例示した。
【００８０】
この第２実施形態では、スキャン文書が自動命名文書であるか否かの判定処理において、後述のスキャンアプリケーションで設定可能な命名規則をも考慮する。
【００８１】
図９は、第２実施形態に係る一覧表示対象文書の検索処理を説明する概念図である。
【００８２】
ＭＦＰ１０は、次述のスキャンアプリケーションを用いてその文書名が付与されたスキャン文書を、生成することも可能である。当該スキャンアプリケーションは、ＭＦＰ１０の外部のアプリケーションであり、ＭＦＰ１０と連携してスキャン文書の文書名を付与することが可能である。また、ユーザは、当該スキャンアプリケーションがインストールされたパーソナルコンピュータを操作して、当該スキャンアプリケーションを利用して生成されたスキャン文書に付与される文書名の命名規則を設定変更することが可能である。ここでは、所定の文字列「ＺＺＺ」とスキャン文書の生成時刻を示す時刻情報（年月日時分）とで構成される文書名をスキャン文書に付与する命名規則が、当該スキャンアプリケーションにおける命名規則として予め設定されている。そして、当該スキャンアプリケーションが用いられる場合、当該スキャンアプリケーションで設定可能な命名規則に従った文書名が自動的に付与されたスキャン文書が、ＭＦＰ１０によって生成される。なお、ここでは、生成されたスキャン文書は、ＭＦＰ１０に格納されるものとする。
【００８３】
この第２実施形態においても、第１実施形態と同様に図４の各処理がそれぞれ行われる。ただし、第２実施形態では、ステップＳ１３，Ｓ１４の処理内容が第１実施形態とは異なる。
【００８４】
具体的には、ステップＳ１３，Ｓ１４における自動命名文書の判定処理では、複数のスキャン文書のそれぞれについて、ＭＦＰ１０に予め組み込まれた命名規則（第１の命名規則とも称する）に従っているか否かが判定されるとともに、スキャンアプリケーションで設定可能な命名規則（第２の命名規則とも称する）に従っているか否かもが判定される。
【００８５】
詳細には、ＭＦＰ１０（判定部１５）は、複数のスキャン文書のうち、その文書名が当該第１の命名規則に従っているスキャン文書を、自動命名文書であると判定する。ここでは、装置番号「ＡＢＣ」とスキャン文書の生成時刻の年月日時分を示す時刻情報とで構成される文書名を有するスキャン文書が、自動命名文書であると判定される。また、ＭＦＰ１０（判定部１５）は、当該第２の命名規則をスキャンアプリケーションから取得し、複数のスキャン文書のうち、その文書名が当該第２の命名規則に従っているスキャン文書をも、自動命名文書であると判定する。ここでは、文字列「ＺＺＺ」とスキャン文書の生成時刻の年月日時分を示す時刻情報とで構成される文書名を有するスキャン文書もが、自動命名文書であると判定される。なお、ここでは一覧表示対象文書の検索処理時に第２の命名規則がスキャンアプリケーションから取得される態様を例示したが、これに限定されず、当該検索処理前において、当該第２の命名規則がスキャンアプリケーションから予め取得されていてもよい。
【００８６】
そして、ステップＳ１３においては、複数のスキャン文書の中から、自動命名文書であると判定されたスキャン文書が、一覧表示対象文書として抽出される。具体的には、複数のスキャン文書のうち、その文書名が第１の命名規則に従っているスキャン文書とその文書名が第２の命名規則に従っているスキャン文書とが、自動命名文書であると判定されて、一覧表示対象文書として抽出される。
【００８７】
また、ステップＳ１４においては、複数のスキャン文書のうち、自動命名文書であると判定されたスキャン文書が、絞込検索画面２００での一覧表示対象から除外され、残余のスキャン文書が、一覧表示対象文書として抽出される。具体的には、当該複数のスキャン文書のうち、その文書名が第１の命名規則に従っているスキャン文書とその文書名が第２の命名規則に従っているスキャン文書とを除く残余のスキャン文書（すなわち手動命名文書）が、一覧表示対象文書として抽出される。
【００８８】
そして、検索（抽出）された一覧表示対象文書が、絞込検索画面２００において一覧表示される（ステップＳ１５）。
【００８９】
このような態様によれば、上記第１実施形態と同様の効果を得ることが可能である。
【００９０】
＜３．第３実施形態＞
第３実施形態は、第１実施形態の変形例である。以下では、第１実施形態との相違点を中心に説明する。
【００９１】
この第３実施形態では、スキャン文書が自動命名文書であるか否かの判定処理において、他のＭＦＰ１０における命名規則をも考慮する。
【００９２】
図１０は、第３実施形態に係る画像処理システム１を示す図である。図１０に示すように、画像処理システム１は、複数のＭＦＰ１０（１０ａ，１０ｂ，...）と外部サーバ９０とを備える。外部サーバ９０は、ＭＦＰ１０とは異なる外部装置であり、各ＭＦＰ１０とネットワーク１０８を介して通信可能である。
【００９３】
この第３実施形態においては、各ＭＦＰ１０は、生成したスキャン文書を外部サーバ９０に送信し、外部サーバ９０は、各ＭＦＰ１０にて生成されたスキャン文書を受信して外部サーバ９０内に格納する。
【００９４】
また、外部サーバ９０は、ＭＦＰ１０に予め組み込まれた命名規則を規定した命名規則情報を、各ＭＦＰ１０からそれぞれ予め取得して外部サーバ９０内に格納しておく。たとえば、ＭＦＰ１０ａは、自装置（ＭＦＰ１０ａ）に予め組み込まれた命名規則（たとえば装置番号「ＡＢＣ」とスキャン文書の生成時刻の時刻情報とで構成される文書名を付与する命名規則）を規定した命名規則情報を、外部サーバ９０に送信する。また、ＭＦＰ１０ｂは、自装置（ＭＦＰ１０ｂ）に予め組み込まれた命名規則（たとえば装置番号「ＤＥＦＧ」とスキャン文書の生成時刻の時刻情報とで構成される文書名を付与する命名規則）を規定した命名規則情報を、外部サーバ９０に送信する。このように、各ＭＦＰ１０は、自装置における命名規則を規定した命名規則情報を外部サーバ９０にそれぞれ送信し、外部サーバ９０は、複数のＭＦＰ１０（１０ａ，１０ｂ，...）から命名規則情報をそれぞれ取得するとともに、複数の命名規則情報を外部サーバ９０内に格納する。
【００９５】
この第３実施形態においても、第１実施形態と同様に図４の各処理がそれぞれ行われる。ただし、第３実施形態では、ステップＳ１３，Ｓ１４の処理内容が第１実施形態とは異なる。
【００９６】
具体的には、第３実施形態のステップＳ１３，Ｓ１４における自動命名文書の判定処理では、ユーザの利用対象のＭＦＰ１０（利用対象装置）は、複数のスキャン文書のそれぞれについて、当該利用対象装置における命名規則に従っているか否かを判定するとともに、他のＭＦＰ１０における命名規則に従っているか否かをも判定する。そして、利用対象装置は、その文書名が自装置における命名規則に従っているスキャン文書のみならず、その文書名が他のＭＦＰ１０における命名規則に従っているスキャン文書をも、自動命名文書であると判定する（図１１も参照）。
【００９７】
詳細には、たとえばユーザがＭＦＰ１０ａを利用する場合、利用対象装置（ＭＦＰ１０ａ）は、外部サーバ９０に格納されている複数のスキャン文書の文書名が列挙された文書名リストを当該外部サーバ９０から取得する。また、ＭＦＰ１０ａは、外部サーバ９０に格納されている複数の命名規則情報をも、当該外部サーバ９０から取得する。
【００９８】
文書名リストが外部サーバ９０から取得されると、ＭＦＰ１０ａは、当該複数の命名規則情報に基づいて、自装置を含む複数のＭＦＰ１０のそれぞれにおける命名規則を取得する。そして、ＭＦＰ１０ａは、当該文書名リストにおける複数のスキャン文書のうち、当該複数の命名規則情報に規定された複数の命名規則のいずれかにその文書名が従っているスキャン文書を、自動命名文書であると判定する。
【００９９】
具体的には、ＭＦＰ１０ａにおける命名規則（ここでは、装置番号「ＡＢＣ」とスキャン文書の生成時刻の時刻情報とで構成される文書名をスキャン文書に付与する命名規則）にその文書名が従っているスキャン文書が、自動命名文書であると判定される。また、他装置（ここではＭＦＰ１０ｂ，１０ｃ，...）における命名規則（ここでは、装置番号「ＤＥＦＧ」とスキャン文書の生成時刻の時刻情報とで構成される文書名をスキャン文書に付与する命名規則等）のいずれかにその文書名が従っているスキャン文書もが、自動命名文書であると判定される（図１１も参照）。
【０１００】
そして、ステップＳ１３においては、当該複数のスキャン文書の中から、自動命名文書であると判定されたスキャン文書が、一覧表示対象文書として抽出される。具体的には、当該複数のスキャン文書の中から、その文書名がＭＦＰ１０ａにおける命名規則に従っているスキャン文書とその文書名が他のＭＦＰ１０における命名規則のいずれかに従っているスキャン文書とが、自動命名文書であると判定されて抽出される。
【０１０１】
また、ステップＳ１４においては、当該複数のスキャン文書のうち、当該自動命名文書であると判定されたスキャン文書が、絞込検索画面２００での一覧表示対象から除外され、残余のスキャン文書が、一覧表示対象文書として抽出される。具体的には、当該複数のスキャン文書のうち、その文書名がＭＦＰ１０ａにおける命名規則に従っているスキャン文書とその文書名が他のＭＦＰ１０における命名規則のいずれかに従っているスキャン文書とを除く残余のスキャン文書（すなわち手動命名文書）が、一覧表示対象文書として抽出される。
【０１０２】
そして、検索（抽出）された一覧表示対象文書が、絞込検索画面２００において一覧表示される（ステップＳ１５）。
【０１０３】
このような態様によれば、上記第１実施形態と同様の効果を得ることが可能である。
【０１０４】
＜４．第４実施形態＞
第４実施形態は、第３実施形態の変形例である。以下では、第３実施形態との相違点を中心に説明する。
【０１０５】
上記第３実施形態では、外部サーバ９０を有する画像処理システムにおける一覧表示対象文書の検索処理を例示した。
【０１０６】
この第４実施形態では、外部サーバを有しない画像処理システム（いわゆるサーバレスシステム）における一覧表示対象文書の検索処理を例示する。
【０１０７】
図１２は、第４実施形態に係る画像処理システム１を示す図である。当該画像処理システム１は、外部サーバを有さず、複数のＭＦＰ１０（１０ａ，１０ｂ，１０ｃ，...）で構成される。また、当該画像処理システム１内の各ＭＦＰ１０は、当該画像処理システム１内の他のＭＦＰ１０と通信可能である。
【０１０８】
この第４実施形態においては、各ＭＦＰ１０で生成されたスキャン文書は、生成元装置あるいは他装置に格納される。また、各ＭＦＰ１０は、自装置内のスキャン文書を他装置と共有することが可能である。たとえば、画像処理システム１における一の装置であるＭＦＰ１０ａは、当該画像処理システム１における一の装置であるＭＦＰ１０ｂにアクセスして、当該ＭＦＰ１０ｂ内のスキャン文書に対して各種処理（たとえば閲覧処理、印刷出力処理）を実行することが可能である。
【０１０９】
また、上記第３実施形態において、ユーザの利用対象装置（たとえばＭＦＰ１０ａ）は、外部サーバ９０内の複数のスキャン文書の文書名リストと、各ＭＦＰ１０における命名規則を規定した命名規則情報とを、当該外部サーバ９０から取得する。
【０１１０】
一方、この第４実施形態においては、ユーザの利用対象装置（たとえばＭＦＰ１０ａ）は、他のＭＦＰ１０内のスキャン文書の文書名リストと、他のＭＦＰ１０における命名規則を規定した命名規則情報とを、当該他のＭＦＰ１０からそれぞれ取得する。
【０１１１】
すなわち、第３実施形態と第４実施形態とでは、文書名リストおよび命名規則情報の送信依頼先装置（取得先装置）が異なる。
【０１１２】
具体的には、たとえばユーザがＭＦＰ１０ａを利用する場合、利用対象装置（ＭＦＰ１０ａ）は、複数のＭＦＰ１０のうちＭＦＰ１０ａを除く残余のＭＦＰ１０（ここではＭＦＰ１０ｂ，１０ｃ，...）に対して、自装置に格納されているスキャン文書の文書名リストの送信要求を送信する。当該送信要求を受信したＭＦＰ１０（ＭＦＰ１０ｂ，１０ｃ，...）は、自装置内のスキャン文書の文書名リストを依頼元装置（ＭＦＰ１０ａ）に送信し、ＭＦＰ１０ａは、各ＭＦＰ１０から送信されてきた文書名リストをそれぞれ取得する。また、ＭＦＰ１０ａは、当該残余のＭＦＰ１０における命名規則をも、当該残余のＭＦＰ１０からそれぞれ取得する。
【０１１３】
そして、ＭＦＰ１０ａは、自装置内のスキャン文書と当該文書名リストにおける他装置内のスキャン文書とを含む複数のスキャン文書のうち、複数のＭＦＰ１０における複数の命名規則のいずれかにその文書名が従っているスキャン文書を、自動命名文書であると判定する。
【０１１４】
具体的には、当該複数のスキャン文書のうち、その文書名がＭＦＰ１０ａにおける命名規則に従っているスキャン文書が、自動命名文書であると判定される。また、当該複数のスキャン文書のうち、その文書名が他装置（ここではＭＦＰ１０ｂ，１０ｃ，...）における命名規則のいずれかに従っていると判定されたスキャン文書もが、自動命名文書であると判定される（図１１も参照）。
【０１１５】
このように、第４実施形態では、文書名リストおよび命名規則情報が、他のＭＦＰ１０からそれぞれ取得され、取得された文書名リストおよび命名規則情報に基づいて、一覧表示対象文書の検索処理が利用対象装置において行われる。
【０１１６】
＜５．第５実施形態＞
第５実施形態は、第１実施形態の変形例である。以下では、第１実施形態との相違点を中心に説明する。
【０１１７】
この第５実施形態では、絞込検索画面２００に一覧表示された一覧表示対象文書をさらに絞り込む態様を例示する。
【０１１８】
図１３は、第５実施形態に係る絞込検索画面２００を示す図である。図１３に示すように、当該絞込検索画面２００においては、絞込検索画面２００に表示された一覧表示対象文書（たとえば複数のスキャン文書のうち自動命名文書であると判定されたスキャン文書を除く残余のスキャン文書）の中から、ユーザによって指定された指定期間内に格納されたスキャン文書をさらに検索する（絞り込む）ための期間指定欄４００が表示される。
【０１１９】
ユーザは、当該期間指定欄４００を用いて、絞込検索画面２００に一覧表示された一覧表示対象文書をさらに検索する（絞り込む）。
【０１２０】
具体的には、まず、文書名の付与方法に関する検索条件がユーザによって指定されると、上記第１実施形態と同様にして、ユーザによって指定された検索条件に基づき検索（抽出）された一覧表示対象文書が、絞込検索画面２００に一覧表示される。
【０１２１】
当該一覧表示対象文書の一覧表示に際して、ＭＦＰ１０（表示制御部１３）は、当該一覧表示対象文書がＭＦＰ１０に格納された格納日を取得し、当該一覧表示対象文書が格納された格納日のうち、最先の格納日から最後の格納日までの期間を、期間指定欄４００における初期指定期間（デフォルト期間）として表示する。
【０１２２】
たとえば、手動命名文書を一覧表示対象文書として検索すべき旨の検索条件がユーザによって指定されると、第１実施形態のようにして、複数のスキャン文書のうち自動命名文書であると判定されたスキャン文書を除く残余のスキャン文書（すなわち手動命名文書）が、一覧表示対象文書として絞込検索画面２００に一覧表示される（図１４参照）。そして、当該手動命名文書がＭＦＰ１０に格納された格納日が取得され、当該手動命名文書の格納日のうち、最先の格納日から最後の格納日までの期間が、期間指定欄４００における初期指定期間として絞込検索画面２００に表示される。ここでは、当該手動命名文書の格納日のうち、文書名「ユーザＵ１作成書類」のスキャン文書がＭＦＰ１０に格納された２０１５年６月１５日が最先の格納日であり、２０１５年６月１５日が、期間指定欄４００における初期指定期間の始期として表示される。また、当該手動命名文書の格納日のうち、文書名「ユーザＵ２_会議資料」のスキャン文書がＭＦＰ１０に格納された２０１５年１１月３０日が最後の格納日であり、２０１５年１１月３０日が、期間指定欄４００における初期指定期間の終期として表示される。
【０１２３】
そして、ユーザは、期間指定欄４００にて所望の期間を指定した後、更なる絞込検索の開始を指示するための「検索」ボタン５００（図１４参照）を押下して、当該残余のスキャン文書（すなわち手動命名文書）の更なる絞込検索を行う。具体的には、ユーザが、期間指定欄４００にて所望の期間を指定期間として指定して検索ボタン５００を押下すると、当該残余のスキャン文書（手動命名文書）のうち、ユーザによって指定された指定期間内に格納されたスキャン文書が、新たな一覧表示対象文書として絞込検索画面２００に表示される。たとえば、図１４の期間指定欄４００において、２０１５年６月１５日から２０１５年９月１５日までの期間が指定期間としてユーザによって指定されると、２０１５年６月１５日から２０１５年９月１５日までの間にＭＦＰ１０に格納された手動命名文書が、新たな一覧表示対象文書として絞込検索画面２００に表示される（図１５参照）。
【０１２４】
なお、期間指定欄４００において当該初期指定期間外の期間が指定期間としてユーザによって指定された場合、ＭＦＰ１０（表示制御部１３）は、当該期間指定欄４００において、指定された指定期間を初期指定期間に自動的に修正する。たとえば、図１４の期間指定欄４００において、２０１５年１月１日が指定期間の始期として指定された場合、ＭＦＰ１０は、当該期間指定欄４００において、ユーザによって指定された指定期間（ここでは２０１５年１月１日から２０１５年１１月３０日までの期間）を、初期指定期間（ここでは２０１５年６月１５日から２０１５年１１月３０日までの期間）に自動修正する。また、図１４の期間指定欄４００において、２０１５年１２月１５日が指定期間の終期として指定された場合、ＭＦＰ１０は、当該期間指定欄４００において、ユーザによって指定された指定期間（ここでは２０１５年６月１５日から２０１５年１２月１５日までの期間）を、初期指定期間（ここでは２０１５年６月１５日から２０１５年１１月３０日までの期間）に自動修正する。
【０１２５】
このように、第５実施形態においては、複数のスキャン文書のうち自動命名文書であると判定されたスキャン文書を除く残余のスキャン文書の格納日のうち、最先の格納日から最後の格納日までの期間が、期間指定欄４００における初期指定期間として絞込検索画面２００に表示される。そのため、ユーザは、当該残余のスキャン文書をさらに絞り込む際に、当該初期指定期間の始期として表示された日（図１４では２０１５年６月１５日）よりも後の格納日を、指定期間の始期として指定すればよいことが判る。また、当該初期指定期間の終期として表示された日（図１４では２０１５年１１月３０日）よりも前の格納日を、指定期間の終期として指定すればよいことが判る。したがって、ユーザは期間指定を容易に行うことが可能である。
【０１２６】
ここにおいて、上記第５実施形態では、残余のスキャン文書がＭＦＰ１０に格納された期間を指定することによって当該残余のスキャン文書の更なる絞込検索が行われる態様を例示したが、これに限定されない。たとえば、残余のスキャン文書のジョブ番号の範囲を指定することによって当該残余のスキャン文書の更なる絞込検索が行われるようにしてもよい。
【０１２７】
具体的には、図１６に示すように、一覧表示された一覧表示対象文書（たとえば複数のスキャン文書のうち自動命名文書であると判定されたスキャン文書を除く残余のスキャン文書）の中から、ユーザによって指定された指定範囲内のジョブ番号を有するスキャン文書をさらに検索するための範囲指定欄４５０が、絞込検索画面２００に表示される。
【０１２８】
詳細には、複数のスキャン文書のうち自動命名文書であると判定されたスキャン文書が絞込検索画面２００での一覧表示対象から除外されて、残余のスキャン文書（すなわち手動命名文書）が一覧表示対象文書として抽出されると、当該一覧表示対象文書が絞込検索画面２００に一覧表示される（図１７参照）。なお、図１７に示すように、この絞込検索画面２００においては、当該残余のスキャン文書を生成したスキャンジョブにそれぞれ割り当てられたジョブ番号もがそれぞれ表示される。また、ＭＦＰ１０（表示制御部１３）は、当該残余のスキャン文書のジョブ番号を取得し、当該残余のスキャン文書のジョブ番号のうち、最小ジョブ番号から最大ジョブ番号までの範囲を、範囲指定欄４５０における初期指定範囲（デフォルト範囲）として表示する。
【０１２９】
ここでは、当該残余のスキャン文書（手動命名文書）のジョブ番号のうち、文書名「ユーザＵ１作成書類」のスキャン文書のジョブ番号「１２３４６９０」が最小ジョブ番号であり、文書名「ユーザＵ２_会議資料」のスキャン文書のジョブ番号「１２３６７０３」が最大ジョブ番号である。そして、当該最小ジョブ番号「１２３４６９０」から最大ジョブ番号「１２３６７０３」までの範囲が、範囲指定欄４５０における初期指定範囲として絞込検索画面２００に表示される（図１７参照）。
【０１３０】
そして、ユーザが、範囲指定欄４５０にて所望の範囲を指定範囲として指定して検索ボタン５００を押下すると、当該残余のスキャン文書（手動命名文書）のうち、ユーザによって指定された範囲内のジョブ番号を有するスキャン文書が、新たな一覧表示対象文書として絞込検索画面２００に表示される。なお、範囲指定欄４５０において当該初期指定範囲外の範囲が指定範囲としてユーザによって指定された場合、ＭＦＰ１０（表示制御部１３）は、当該範囲指定欄４５０において、指定された指定範囲を初期指定範囲に自動的に修正する。
【０１３１】
このように、残余のスキャン文書のジョブ番号の範囲を指定することによって当該残余のスキャン文書の更なる絞込検索が行われるようにしてもよい。
【０１３２】
これによれば、ユーザは、当該残余のスキャン文書をさらに絞り込む際に、初期指定範囲に表示された最小ジョブ番号（図１７では「１２３４６９０」）よりも大きな番号を、指定範囲における最小ジョブ番号として指定すればよいことが判る。また、初期指定範囲に表示された最大ジョブ番号（図１７では「１２３６７０３」）よりも小さな番号を、指定範囲における最大ジョブ番号として指定すればよいことが判る。したがって、ユーザは、範囲指定を容易に行うことが可能である。
【０１３３】
なお、残余のスキャン文書の更なる絞込検索において、格納日の期間指定とジョブ番号の範囲指定とのいずれによって当該更なる絞込検索を行うかをユーザが絞込検索画面２００において選択できるようにしてもよい。たとえば、当該更なる絞込検索の検索手法として格納日の期間指定を採用する旨の選択肢（ラジオボタン４７０）と、当該更なる絞込検索の検索手法としてジョブ番号の範囲指定を採用する旨の選択肢（ラジオボタン４８０）とが、絞込検索画面２００に表示される（図１８参照）。そして、ユーザは、当該ラジオボタン４７０とラジオボタン４８０とのいずれかを選択し、ユーザによって選択された選択肢に対応する検索手法を用いて、残余のスキャン文書の更なる絞込検索が行われるようにしてもよい。
【０１３４】
また、上記第５実施形態（および第５実施形態の変形例）を、上記第１実施形態の変形例として説明したが、これに限定されず、第５実施形態（および第５実施形態の変形例）の思想が、他の実施形態（第２〜第４実施形態）に適用されてもよい。
【０１３５】
＜６．変形例等＞
以上、この発明の実施の形態について説明したが、この発明は上記内容のものに限定されるものではない。
【０１３６】
＜命名規則に関する変形例＞
たとえば、上記各実施形態等において、ＭＦＰ１０（あるいはスキャンアプリケーション）における命名規則が変更された場合、複数のスキャン文書のうち、変更前の命名規則にその文書名が従っているスキャン文書と、変更後の命名規則にその文書名が従っているスキャン文書との双方が、自動命名文書であると判定されるようにしてもよい。
【０１３７】
具体的には、所定の文字列「ＡＢＣ」とスキャン文書の生成時刻を示す時刻情報とで構成される文書名をスキャン文書に付与する命名規則が、所定の文字列「ＢＣＤＥ」とスキャン文書の生成時刻を示す時刻情報とで構成される文書名をスキャン文書に付与する命名規則に変更された場合、次のような動作が行われてもよい。詳細には、複数のスキャン文書のうち、文字列「ＡＢＣ」と当該時刻情報とで構成される文書名のスキャン文書（変更前の命名規則に従った文書名のスキャン文書）と、文字列「ＢＣＤＥ」と当該時刻情報とで構成される文書名のスキャン文書（変更後の命名規則に従った文書名のスキャン文書）との双方が、自動命名文書であると判定されてもよい。
【０１３８】
＜自動命名文書の判定処理に関する変形例＞
また、上記各実施形態等においては、スキャン文書の文書名が命名規則に従っているか否かによって、スキャン文書が自動命名文書であるか否かが判定される態様を例示したが、これに限定されない。たとえば、スキャン文書のタイムスタンプ（後述）における年月日時分と当該スキャン文書の文書名に含まれる時刻情報における年月日時分との比較によって、スキャン文書が自動命名文書であるか否かが判定されるようにしてもよい。
【０１３９】
ここにおいて、命名規則の多くは、スキャン文書の生成時刻の年月日時分を示す時刻情報を当該スキャン文書の文書名に含むように規定されている。換言すれば、命名規則に従った文書名が自動的に付与されたスキャン文書（すなわち自動命名文書）の多くは、年月日時分を示す時刻情報を含む文書名を有する。
【０１４０】
このような事情から、ＭＦＰ１０は、生成時の時刻を示す属性情報としてスキャン文書に自動的に埋め込まれた生成時刻情報（「タイムスタンプ」とも称する）における年月日時分と、スキャン文書の文書名に含まれる時刻情報における年月日時分とを比較することによって、スキャン文書が自動命名文書であるか否かを判定する。
【０１４１】
具体的には、ＭＦＰ１０は、タイムスタンプを各スキャン文書からそれぞれ取得し、当該各スキャン文書について、年月日時分を示す時刻情報がその文書名に含まれるか否かを判定するとともに、タイムスタンプに記録された（少なくとも）年月日時分が、その文書名に含まれる時刻情報として示された年月日時分と一致するか否か、を判定する。そして、ＭＦＰ１０は、当該時刻情報がその文書名に含まれ、且つタイムスタンプにおける年月日時分とその文書名に含まれる時刻情報における年月日時分とが一致するスキャン文書を、自動命名文書であると判定（推定）する。
【０１４２】
このように、タイムスタンプにおける年月日時分と、スキャン文書の文書名に含まれる時刻情報における年月日時分との比較によって、スキャン文書が自動命名文書であるか否かが判定されるようにしてもよい。これによれば、たとえば命名規則（特に他のＭＦＰ１０における命名規則）が取得できない場合であっても、自動命名文書を一覧表示対象から除外すること（すなわち手動命名文書を一覧表示対象文書として抽出すること）が可能である。
【０１４３】
＜残余のスキャン文書の更なる絞込検索に関する変形例＞
また、上記各実施形態等において、複数のスキャン文書のうち自動命名文書を除く残余のスキャン文書において、所定の条件を充足するスキャン文書が存在する場合、当該所定の条件を充足するスキャン文書を一覧表示対象からさらに除外すべき旨を指示するための操作部材が、絞込検索画面２００に表示されるようにしてもよい。
【０１４４】
具体的には、手動命名文書を一覧表示対象文書として検索すべき旨の検索条件がユーザによって指定されると、第１実施形態と同様にして、複数のスキャン文書のうち、自動命名文書であると判定されたスキャン文書を除く残余のスキャン文書（すなわち手動命名文書）が、一覧表示対象文書として絞込検索画面２００に一覧表示される（図２０参照）。そして、当該残余のスキャン文書（手動命名文書）において、所定文字数（たとえば３文字）以上の同一文字列を文書名にそれぞれ含むスキャン文書が所定数（たとえば１０個）以上存在する場合、当該同一文字列を含む文書名のスキャン文書を一覧表示対象からさらに除外すべき旨を指示するための操作部材が絞込検索画面２００に表示される。ここでは、当該同一文字列を含む文書名のスキャン文書を一覧表示対象から除外すべき旨を指示するための選択肢を含むリストボックスが、手動命名文書に対応する指定ボタン３０３の下方に表示される。たとえば、当該残余のスキャン文書において、５文字の文字列「ユーザＵ１」を文書名にそれぞれ含むスキャン文書が１０個以上存在する場合、図２０に示すように、指定ボタン３０３の下方のリストボックスにおいて、文字列「ユーザＵ１」を含む文書名のスキャン文書を一覧表示対象から除外すべき旨を指示するための選択肢が表示される。
【０１４５】
そして、ユーザが当該選択肢を選択すると、一覧表示対象文書として表示された残余のスキャン文書のうち、文字列「ユーザＵ１」を含む文書名のスキャン文書が一覧表示対象から除外され、当該残余のスキャン文書のうち、文字列「ユーザＵ１」を含む文書名のスキャン文書を除くスキャン文書が、新たな一覧表示対象文書として一覧表示される（図１９も参照）。
【０１４６】
このように、残余のスキャン文書において、所定文字数以上の同一文字列をその文書名にそれぞれ含むスキャン文書が所定数以上存在する場合、当該同一文字列を含む文書名のスキャン文書を一覧表示対象からさらに除外すべき旨を指示するための操作部材が、絞込検索画面２００に表示されるようにしてもよい。
【０１４７】
なお、これに限定されず、残余のスキャン文書において、所定文字数以上の同一文字列をその文書名にそれぞれ含むスキャン文書が所定数以上存在する場合、当該操作部材が表示されずに、当該同一文字列を含む文書名のスキャン文書が、一覧表示対象から自動的に除外されるようにしてもよい。
【０１４８】
同一文字列を含む文書名であり且つ所定数以上以上のスキャン文書が一覧表示対象から除外されることによれば、当該残余のスキャン文書のうち、一定程度の規則性を有し且つ比較的多数存在するスキャン文書が一覧表示対象からさらに除外されるので、ユーザは、規則性を有しない少数のスキャン文書を容易に探し出すことが可能である。
【０１４９】
＜その他＞
また、上記各実施形態等において、前回の検索時において自動命名文書を一覧表示対象から除外すべき旨の検索条件がユーザによって指定されていた場合、今回の検索時において、前回の検索時における検索条件が保持され、自動命名文書が一覧表示対象から自動的に除外されてもよい。
【０１５０】
たとえば、前回の検索時において、手動命名文書を一覧表示対象文書として検索すべき旨の検索条件（すなわち自動命名文書を一覧表示対象から除外すべき旨の検索条件）がユーザによって指定され、自動命名文書が一覧表示対象から除外されていた場合、今回の（新たな）検索時において、次のような動作が行われてもよい。詳細には、他の画面から絞込検索画面２００へと表示画面が遷移すると、前回の検索時における検索条件（自動命名文書を一覧表示対象から除外すべき旨の検索条件）と同じ検索条件に基づいて、複数のスキャン文書のうち自動命名文書が一覧表示対象から自動的に除外されてもよい。そして、残余のスキャン文書が、一覧表示対象文書として自動的に抽出されて絞込検索画面２００（図８参照）に表示されればよい。
【０１５１】
このように、前回の検索時において自動命名文書を一覧表示対象から除外すべき旨の検索条件がユーザによって指定されていた場合、新たな検索時において、前回の検索時における検索条件に基づいて、自動命名文書が一覧表示対象から自動的に除外されるようにしてもよい。
【０１５２】
また、上記各実施形態等においては、ユーザによる検索条件の指定操作に伴って、一覧表示対象文書の検索処理が行われる態様を例示したが、これに限定されず、ユーザによる検索条件の指定操作を伴わずに、一覧表示対象文書の検索処理が行われてもよい。
【０１５３】
たとえば、自動命名文書を一覧表示対象から除外すべき旨の検索条件が、ユーザによる検索条件の指定操作を伴わずに開始される検索処理で用いられる検索条件（デフォルト検索条件）として予め設定される。そして、他の画面から絞込検索画面２００へと表示画面が遷移すると、一覧表示対象文書の検索処理が開始され、予め設定された当該デフォルト検索条件に基づいて、複数のスキャン文書のうち自動命名文書が一覧表示対象から自動的に除外されてもよい。そして、残余のスキャン文書が、一覧表示対象文書として自動的に抽出されて絞込検索画面２００（図８参照）に表示されればよい。
【０１５４】
このように、ユーザによる検索条件の指定操作を伴わずに、一覧表示対象文書の検索処理が行われてもよい。
【符号の説明】
【０１５５】
１０  ＭＦＰ（画像処理装置）
２００  絞込検索画面
３００〜３０３  指定ボタン
４００  期間指定欄
４５０  範囲指定欄
【図１】
2017162181.tif 000003
【図２】
2017162181.tif 000004
【図３】
2017162181.tif 000005
【図４】
2017162181.tif 000006
【図５】
2017162181.tif 000007
【図６】
2017162181.tif 000008
【図７】
2017162181.tif 000009
【図８】
2017162181.tif 000010
【図９】
2017162181.tif 000011
【図１０】
2017162181.tif 000012
【図１１】
2017162181.tif 000013
【図１２】
2017162181.tif 000014
【図１３】
2017162181.tif 000015
【図１４】
2017162181.tif 000016
【図１５】
2017162181.tif 000017
【図１６】
2017162181.tif 000018
【図１７】
2017162181.tif 000019
【図１８】
2017162181.tif 000020
【図１９】
2017162181.tif 000021
【図２０】
2017162181.tif 000022